(57)【要約】【課題】ビスを使用せずに板部材を短時間で取付部に取り付け、板部材の破損を回避することができる係止構造及び該係止構造を備える表示装置を提供する。【解決手段】フロントキャビネット１に、第１リブ４、第２リブ５及び切欠部６ａを先端部分に有する突出板部６を設けることにより、第１リブ４にてＬＥＤ基板２０の一側部を係止し、第２リブ５にて前記ＬＥＤ基板２０の他側部を係止し、切欠部６ａにて前記ＬＥＤ基板２０の一側部及び他側部の間を係止する構成とした。【選択図】図２
2009181037.tif 000002
【特許請求の範囲】
【請求項１】
板部材を取り付ける取付部と、該取付部に設けてあり、前記板部材を係止する複数のリブとを備える係止構造において、
複数の前記リブは、
前記板部材の一側部を係止する第１リブと、
前記板部材の他側部を係止する第２リブと
を備えることを特徴とする係止構造。
【請求項２】
前記第１リブ又は第２リブは可撓性を有しており、前記第１リブ及び第２リブの間で前記板部材を挟持してあることを特徴とする請求項１に記載の係止構造。
【請求項３】
前記第１リブは箱形をなし、
前記第１リブに、前記板部材の一側部を挿入するスリットを設けてあること
を特徴とする請求項１又は２に記載の係止構造。
【請求項４】
前記第２リブは、
前記板部材の他側部を案内する案内部と、
該案内部に案内された前記板部材の他側部を係合する凹部と
を備えることを特徴とする請求項１から３のいずれか一つに記載の係止構造。
【請求項５】
前記板部材の他側部に、前記第２リブに係止する係止凹部又は係止凸部が設けてあることを特徴とする請求項１から４のいずれか一つに記載の係止構造。
【請求項６】
前記取付部から突出した突出板部と、
該突出板部の先端部分に設けてあり、前記板部材の一側部及び他側部の間を係止する切欠部と
を備えることを特徴とする請求項１から５のいずれか一つに記載の係止構造。
【請求項７】
請求項１から６のいずれか一つに記載の係止構造を備えており、
前記取付部は、映像を表示する表示パネルを収容する筐体の一部を形成しており、
前記板部材は回路基板であることを特徴とする表示装置。
【請求項８】
映像を表示する表示パネルと、該表示パネルを収容する筐体と、該筐体に設けてある回路基板とを備える表示装置において、
前記筐体に設けてあり、前記回路基板の一側部を係止する第１リブと、
前記筐体に設けてあり、前記回路基板の他側部を係止する第２リブと
を備えることを特徴とする表示装置。
【発明の詳細な説明】
【技術分野】
【０００１】
本発明は板部材を係止する係止構造及び該係止構造を備える表示装置に関する。
【背景技術】
【０００２】
従来の表示装置は、映像を表示する表示パネルを収容するフロントキャビネットの背面に、回路基板を案内する案内溝を備えるリブを設け、該リブの隣にビスを螺合させるボスを設けてあり、前記案内溝に回路基板を挿入して仮止めし、前記ボスにビスを螺合させて、ビスの頭部と、ボスとの間で回路基板を強圧し、フロントキャビネットに取り付けていた（特許文献１参照）。
【特許文献１】特開２００７−１１４５６６号公報
【発明の開示】
【発明が解決しようとする課題】
【０００３】
特許文献１に記載の表示装置は、前記ビスを前記ボスに過剰に締め込んだ場合に、前記回路基板の半田にヒビ割れが発生し、また回路基板が割れる虞がある。さらにビスをボスに螺合させる作業は長時間を要する。
また表示装置に限らず、一般にビスを使用して薄い板部材を取付部に取り付ける場合にも同様な問題が生じる。
【０００４】
本発明は斯かる事情に鑑みてなされたものであり、板部材を取り付ける取付部に第１リブ及び第２リブを設けることにより、第１リブにて板部材の一側部を係止し、第２リブにて前記板部材の他側部を係止して、ビスを使用せずに前記板部材を短時間で前記取付部に取り付け、前記板部材の破損を回避することができる係止構造及び該係止構造を備える表示装置を提供することを目的とする。
【課題を解決するための手段】
【０００５】
本発明に係る係止構造は、板部材を取り付ける取付部と、該取付部に設けてあり、前記板部材を係止する複数のリブとを備える係止構造において、複数の前記リブは、前記板部材の一側部を係止する第１リブと、前記板部材の他側部を係止する第２リブとを備えることを特徴とする。
【０００６】
本発明においては、板部材を取り付ける取付部に、第１リブ及び第２リブを設けることにより、第１リブにて板部材の一側部を係止し、第２リブにて前記板部材の他側部を係止して、ビスを使用せずに前記板部材を前記取付部に取り付ける。
【０００７】
本発明に係る係止構造は、前記第１リブ又は第２リブは可撓性を有しており、前記第１リブ及び第２リブの間で前記板部材を挟持してあることを特徴とする。
【０００８】
本発明においては、可撓性を有する第１リブ又は第２リブを設けることにより、第１リブ及び第２リブの間で前記板部材を挟持し、ビスを使用せずに前記板部材を前記取付部に取り付ける。
【０００９】
本発明に係る係止構造は、前記第１リブは箱形をなし、前記第１リブに、前記板部材の一側部を挿入するスリットを設けてあることを特徴とする。
【００１０】
本発明においては、スリットを有する箱形の第１リブを設けることにより、前記スリットに前記板部材の一側部を挿入して、ビスを使用せずに前記板部材を前記取付部に取り付ける。
【００１１】
本発明に係る係止構造は、前記第２リブは、前記板部材の他側部を案内する案内部と、該案内部に案内された前記板部材の他側部を係合する凹部とを備えることを特徴とする。
【００１２】
本発明においては、前記第２リブに前記板部材の他側部を案内する案内部と、該案内部に案内された前記他側部を係合する凹部とを設けることにより、案内部に案内された前記板部材の他側部を前記凹部にて係合して、ビスを使用せずに前記板部材を前記取付部に取り付ける。
【００１３】
本発明に係る係止構造は、前記板部材の他側部に、前記第２リブに係止する係止凹部又は係止凸部が設けてあることを特徴とする。
【００１４】
本発明においては、前記板部材の他側部に係止凹部又は係止凸部を設けることにより、該係止凹部又は係止凸部を前記第２リブに係止して、ビスを使用せずに前記板部材を安定に支持する。
【００１５】
本発明に係る係止構造は、前記取付部から突出した突出板部と、該突出板部の先端部分に設けてあり、前記板部材の一側部及び他側部の間を係止する切欠部とを備えることを特徴とする。
【００１６】
本発明においては、前記取付部から突出した突出板部の先端部分に切欠部を設けることにより、該切欠部にて前記板部材の一側部及び他側部の間を係止して、ビスを使用せずに前記板部材を安定に支持する。
【００１７】
本発明に係る表示装置は、前記係止構造を備えており、前記取付部は、映像を表示する表示パネルを収容する筐体の一部を形成しており、前記板部材は回路基板であることを特徴とする。
【００１８】
本発明においては、前記取付部を、映像を表示する表示パネルを収容する筐体の一部とし、前記板部材を回路基板とした係止構造を設けることにより、前記回路基板を前記第１リブ及び第２リブにて係止し、また前記切欠部にて前記回路基板を安定に支持し、ビスを使用せずに前記回路基板を前記筐体に取り付ける。
【００１９】
本発明に係る表示装置は、映像を表示する表示パネルと、該表示パネルを収容する筐体と、該筐体に設けてある回路基板とを備える表示装置において、前記筐体に設けてあり、前記回路基板の一側部を係止する第１リブと、前記筐体に設けてあり、前記回路基板の他側部を係止する第２リブとを備えることを特徴とする。
【００２０】
本発明においては、前記第１リブ及び第２リブを筐体に設けることにより、前記回路基板を前記第１リブ及び第２リブにて係止し、ビスを使用せずに前記回路基板を前記筐体に取り付ける。
【発明の効果】
【００２１】
本発明に係る係止構造にあっては、板部材を取り付ける取付部に、第１リブ及び第２リブを設けることにより、第１リブにて板部材の一側部を係止し、第２リブにて前記板部材の他側部を係止して、ビスを使用せずに前記板部材を短時間で前記取付部に取り付け、前記板部材の破損を回避することができる。
【００２２】
また可撓性を有する第１リブ又は第２リブを設けることにより、第１リブ及び第２リブの間で前記板部材を挟持して、ビスを使用せずに前記板部材を短時間で前記取付部に取り付け、前記板部材の破損を回避することができる。
【００２３】
またスリットを有する箱形の第１リブを設けることにより、前記スリットに前記板部材の一側部を挿入して、ビスを使用せずに前記板部材を短時間で前記取付部に取り付け、前記板部材の破損を回避することができる。
【００２４】
また前記第２リブに前記板部材の他側部を案内する案内部と、該案内部に案内された前記他側部を係合する凹部とを設けることにより、案内部に案内された前記板部材の他側部を前記凹部に係合して、ビスを使用せずに前記板部材を短時間で前記取付部に取り付け、前記板部材の破損を回避することができる。
【００２５】
また前記板部材の他側部に係止凹部又は係止凸部を設けることにより、該係止凹部又は係止凸部を前記第２リブに係止して、ビスを使用せずに前記板部材を安定に支持し、前記板部材の破損を回避することができる。
【００２６】
また前記取付部から突出した突出板部の先端部分に切欠部を設けることにより、該切欠部にて前記板部材の一側部及び他側部の間を係止して、ビスを使用せずに前記板部材を安定に支持し、前記板部材の破損を回避することができる。
【００２７】
また本発明に係る表示装置にあっては、前記取付部を、映像を表示する表示パネルを収容する筐体の一部とし、前記板部材を回路基板とした係止構造を設けることにより、前記回路基板を前記第１リブ及び第２リブにて係止し、また前記切欠部にて前記回路基板を安定に支持し、ビスを使用せずに前記回路基板を短時間で前記筐体に取り付け、前記回路基板の破損を回避することができる。
【００２８】
また前記第１リブ及び第２リブを表示パネルを収容する筐体に設けることにより、前記回路基板を前記第１リブ及び第２リブにて係止し、ビスを使用せずに前記回路基板を短時間で前記筐体に取り付け、前記回路基板の破損を回避することができる。
【発明を実施するための最良の形態】
【００２９】
以下本発明を実施の形態に係る表示装置を示す図面に基づいて詳述する。図１は表示装置を示す模式的外観図、図２はＬＥＤ基板付近の構成の略示部分斜視図、図３はＬＥＤ基板付近の構成の略示部分平面断面図、図４は第１リブ、第２リブ及び突出板部の略示斜視図、図５はＬＥＤ基板の略示斜視図、図６はＬＥＤ基板の略示平面図、図７は導光板の略示斜視図、図８は導光板の略示平面図である。
【００３０】
図において１は枠状のフロントキャビネットであり、該フロントキャビネット１の背面側に、フロントキャビネット１に対応するリヤキャビネット２が設けてある。前記フロントキャビネット１とリヤキャビネット２とにより映像を表示する表示パネル３が収容されており、また蛍光管を支持するバックライトシャーシ及び蛍光管の光を拡散する光学シート（いずれも図示せず）が収容されている。前記光学シートを透過した蛍光管の光を表示パネル３に照射して、映像を表示するようにしてある。
【００３１】
図４に示すように、前記フロントキャビネット１の下側部背面から箱形の第１リブ４が突出している。該第１リブ４は、前記フロントキャビネット１の下側部背面を正面としており、該正面に連なる底面と、前記正面及び底面に連なる左右側面と、前記底面に連なる背面を有する。該背面及び背面側から見たときの左側面により形成される角部分には、左側面及び背面に亘る上下方向に細長いスリット４ａが設けてある。以下左右は背面側からの視点を基準とする。
【００３２】
前記第１リブ４の左方に、可撓性を有する柱状の第２リブ５が、前記フロントキャビネット１の下側部背面から突出している。該第２リブ５の先端部右側には、先端に向けて前記第２リブ５が細くなるように傾斜した案内面５ａが形成されている。該案内面５ａは後述するＬＥＤ基板２０を案内する。また前記案内面５ａに隣接しており、平面視コの字形に左側に窪んだ凹部５ｂが前記第２リブ５に形成してある。
【００３３】
前記第１リブ４及び第２リブ５の間にて、先端部に側面視コの字形の切欠部６ａが形成してある突出板部６が、前記フロントキャビネット１の背面に突設してある。
該突出板部６及び第１リブ４の間に、前記フロントキャビネット１の背面に垂直であって、前記突出板部６に平行な板状の四枚の挿入リブ７、７、・・・７が左右方向に沿って並設してある。該挿入リブ７は後述する導光板１０のスリット１０ｃに挿入してある。右端及び左端にある二つの前記挿入リブ７、７の下側並びに右から二番目の挿入リブ７の上側に、後述する導光板１０の嵌合孔部に対応しており、前記フロントキャビネット１の背面に垂直な三つの嵌合凸部８、８、８がそれぞれ設けてある。また左端にある挿入リブ７の左側、各挿入リブ７、７、・・・７の間及び右端にある挿入リブ７の右側にて、後述する導光円柱ｑ１、ｑ２、ｑ３を表示装置の外部に露出するための三つのランプ孔Ｐ１、Ｐ２、Ｐ３と、後述する二つの受光円柱ｑ４、ｑ５を表示装置の外部に露出するための二つの受光孔Ｐ４、Ｐ５とが、左から右にこの順で前記フロントキャビネット１にそれぞれ開設してある。
【００３４】
次にランプ孔Ｐ１、Ｐ２、Ｐ３に向けてＬＥＤ素子Ｌ１、Ｌ２、Ｌ３がそれぞれ発した光、並びに表示装置を設置してある場所の照度に対応しており、受光孔Ｐ４から取り込まれる光及びリモートコントローラから送信されており、受光孔Ｐ５から取り込まれる光信号を導く導光板１０について説明する。
図８に示すように、導光板１０は、横長の正面板部及び該正面板部から背面側に延出した左右側面板部から構成されており、平面断面形状がコの字形のフレーム１０ａを備えている。該フレーム１０ａの上下縁には前記嵌合凸部８、８、８に対応する三つの嵌合円環１０ｂ、１０ｂ、１０ｂを設けてある。
【００３５】
前記フレーム１０ａの正面板部には、三つの前記ランプ孔Ｐ１、Ｐ２、Ｐ３に対応しており、前記フレーム１０ａの正面板部を貫通した三つの導光円柱ｑ１、ｑ２、ｑ３と、二つの前記受光孔Ｐ４、Ｐ５に対応しており、前記フレーム１０ａの正面板部を貫通した二つの受光円柱ｑ４、ｑ５とが左右方向に沿って並設してある。該導光円柱ｑ１、ｑ２、ｑ３及び受光円柱ｑ４、ｑ５の間において、前記挿入リブ７、７、・・・７に対応する四つのスリット１０ｃ、１０ｃ、・・・、１０ｃが前記フレーム１０ａの正面板部に並設してある。前記嵌合円環１０ｂに前記嵌合凸部８を嵌合し、前記スリット１０ｃに前記挿入リブ７を挿入して前記導光板１０を前記フロントキャビネット１に取り付けてある。
【００３６】
また前記フレーム１０ａの左右側面板部の背面には、背面側に突出しており、後述するＬＥＤ基板２０の位置決め孔２０ｂ、２０ｂに挿入する二つの円柱突起１０ｄ、１０ｄがそれぞれ設けてある。
【００３７】
次に導光板１０を介して、電源のオンオフ、表示装置を設置してある場所の照度を検出する照度センサのオンオフ及び表示装置への電力供給を所定時間経過後に遮断するオフタイマー設定のオンオフを示す光を表示装置の外部に発する三つのＬＥＤ素子Ｌ１、Ｌ２、Ｌ３を実装しており、導光板１０を介してリモートコントローラから出力された光信号及び表示装置を設置してある場所の照度に対応する光を受光する二つの受光素子Ｌ４、Ｌ５を実装してあるＬＥＤ基板２０について説明する。
【００３８】
ＬＥＤ基板２０は、左右寸法が前記第１リブ４及び第２リブ５の間の寸法と略同寸であり、上下寸法が前記切欠部６ａの上下寸法よりも若干小さい横長の基板２０ａを備えている。該基板２０ａの正面中央部に、三つの前記導光円柱ｑ１、ｑ２、ｑ３に対応する三つのＬＥＤ素子Ｌ１、Ｌ２、Ｌ３が実装してあり、二つの前記受光円柱ｑ４、ｑ５に対応しており、フォトトランジスタからなる二つの受光素子Ｌ４、Ｌ５が実装してある。また前記基板２０ａの上側部には、二つの前記円柱突起１０ｄ、１０ｄが係合する二つの位置決め孔２０ｂ、２０ｂが開設してある。
【００３９】
次に前記ＬＥＤ基板２０の前記第１リブ４、第２リブ５及び切欠部６ａへの取り付けについて説明する。図９はＬＥＤ基板２０の第１リブ４、第２リブ５及び切欠部６ａへの取り付けを説明する説明図である。
【００４０】
ＬＥＤ基板２０を前記第１リブ４、第２リブ５及び切欠部６ａへ取り付けるときには、まずＬＥＤ基板２０の一側部を前記第１リブ４のスリット４ａに挿入する（図９（ａ）参照）。そして図９（ｂ）の矢印にて示す如く、前記スリット４ａを支点にしてＬＥＤ基板２０を前記フロントキャビネット１側に回動させる。そして回動したＬＥＤ基板２０に開設してある前記位置決め孔２０ｂを、前記導光板１０に設けてある前記円柱突起１０ｄに係合させる。このとき前記ＬＥＤ基板２０の他側部を前記第２リブ５の案内面５ａに当接させて、図９（ｂ）の白抜矢符にて示す如く、前記第２リブ５を前記フロントキャビネット１側に撓ませ、またＬＥＤ基板２０の一側部及び他側部の間の部分を前記切欠部６ａに配置する。そして前記ＬＥＤ基板２０の他側部を案内面５ａに沿って、前記第２リブ５の凹部５ｂまで案内し、該凹部５ｂにて係止する（図９（ｃ）参照）。
【００４１】
前記ＬＥＤ基板２０を前記第１リブ４、第２リブ５及び切欠部６ａへ取り付けることにより、前記ＬＥＤ素子Ｌ１、Ｌ２、Ｌ３が発した光は、前記導光円柱ｑ１、ｑ２、ｑ３を介して表示装置の外部に向けて照射され、表示装置を設置してある場所の照度に対応する光及びリモートコントローラから送信された光信号は、前記受光円柱ｑ４、ｑ５を介して前記受光素子Ｌ４、Ｌ５にてそれぞれ受光される。
【００４２】
実施の形態に係る表示装置にあっては、フロントキャビネット１に、第１リブ４及び第２リブ５を設けることにより、第１リブ４にてＬＥＤ基板２０の一側部を係止し、第２リブ５にて前記ＬＥＤ基板２０の他側部を係止して、ビスを使用せずに前記ＬＥＤ基板２０を短時間で前記フロントキャビネット１に取り付け、前記ＬＥＤ基板２０の破損を回避することができる。
【００４３】
また可撓性を有する第２リブ５を設けることにより、前記第１リブ４及び第２リブ５の間で前記ＬＥＤ基板２０を挟持して、ビスを使用せずに前記ＬＥＤ基板２０を短時間で前記フロントキャビネット１に取り付け、前記ＬＥＤ基板２０の破損を回避することができる。
【００４４】
またスリット４ａを有する箱形の第１リブ４を設けることにより、前記スリット４ａに前記ＬＥＤ基板２０の一側部を挿入して、ビスを使用せずに前記ＬＥＤ基板２０を短時間で前記フロントキャビネット１に取り付け、前記ＬＥＤ基板２０の破損を回避することができる。
【００４５】
また前記第２リブ５に、前記ＬＥＤ基板２０の他側部を案内する案内面５ａと、該案内面５ａに案内された前記他側部を係合する凹部５ｂとを設けることにより、案内面５ａに案内された前記ＬＥＤ基板２０の他側部を前記凹部５ｂに係合して、ビスを使用せずに前記ＬＥＤ基板２０を短時間で前記フロントキャビネット１に取り付け、前記ＬＥＤ基板２０の破損を回避することができる。
【００４６】
また前記フロントキャビネット１から突出した突出板部６の先端部分に切欠部６ａを設けることにより、該切欠部６ａにて前記ＬＥＤ基板２０の一側部及び他側部の間を係止して、ビスを使用せずに前記ＬＥＤ基板２０を安定に支持し、前記ＬＥＤ基板２０の破損を回避することができる。
【００４７】
（その他の実施の形態）
図１０はその他の実施の形態に係る表示装置の第２リブ５付近の構成の略示部分拡大斜視図である。図１０（ａ）に示す如く、ＬＥＤ基板２０の他側部に背面から見てコの字形の右側に窪んだ係止凹部２０ｃを形成してある。該係止凹部２０ｃを前記凹部５ｂに係止して、ＬＥＤ基板２０の上下方向の移動を規制し、ＬＥＤ基板２０を安定に支持して、前記ＬＥＤ基板２０の破損を回避している。
また図１０（ｂ）に示す如く、ＬＥＤ基板２０の他側部に、ＬＥＤ基板２０に平行な係止凸部２０ｄを形成し、該係止凸部２０ｄを、前記凹部５ｂの上側にて係止して、ＬＥＤ基板２０の下側への移動を規制して、ＬＥＤ基板２０を安定に支持し、前記ＬＥＤ基板２０の破損を回避しても良い。
図１１はその他の実施の形態に係る表示装置の第１リブ４の略示部分拡大平面断面図である。図１１に示す如く、前記第１リブ４を、フロントキャビネット１から突出した板部４０に嵌合凹部４０ａを設けた構成に変更してあり、該嵌合凹部４０ａにＬＥＤ基板２０の一側部を嵌合してある。なお前記板部４０は可撓性を有していても良い。
【図面の簡単な説明】
【００４８】
【図１】実施の形態に係る表示装置を示す模式的外観図である。
【図２】実施の形態に係る表示装置のＬＥＤ基板付近の構成の略示部分斜視図である。
【図３】実施の形態に係る表示装置のＬＥＤ基板付近の構成の略示部分平面断面図である。
【図４】実施の形態に係る表示装置の第１リブ、第２リブ及び突出板部の略示斜視図である。
【図５】実施の形態に係る表示装置のＬＥＤ基板の略示斜視図である。
【図６】実施の形態に係る表示装置のＬＥＤ基板の略示平面図である。
【図７】実施の形態に係る表示装置の導光板の略示斜視図である。
【図８】実施の形態に係る表示装置の導光板の略示平面図である。
【図９】実施の形態に係る表示装置のＬＥＤ基板の第１リブ、第２リブ及び切欠部への取り付けを説明する説明図である。
【図１０】その他の実施の形態に係る表示装置の第２リブ付近の構成の略示部分拡大斜視図である。
【図１１】その他の実施の形態に係る表示装置の第１リブの略示部分拡大平面断面図である。
【符号の説明】
【００４９】
１  フロントキャビネット（取付部、筐体）
３  表示パネル
４  第１リブ（係止構造）
４ａ  スリット
５  第２リブ（係止構造）
５ａ  案内面（案内部）
５ｂ  凹部
６  突出板部（係止構造）
６ａ  切欠部
２０  ＬＥＤ基板（板部材、回路基板）
２０ｃ  係止凹部
２０ｄ  係止凸部
【図１】
2009181037.tif 000003
【図２】
2009181037.tif 000004
【図３】
2009181037.tif 000005
【図４】
2009181037.tif 000006
【図５】
2009181037.tif 000007
【図６】
2009181037.tif 000008
【図７】
2009181037.tif 000009
【図８】
2009181037.tif 000010
【図９】
2009181037.tif 000011
【図１０】
2009181037.tif 000012
【図１１】
2009181037.tif 000013